(57)【要約】    【課題】  ポンプ構造を変更することなく、エア噛みを改善することができるポンプを提供する。    【解決手段】  固定子２２の内周に磁性体２８を有する回転子２１が回転自在に配されたモータ部と、吸水口１３と２箇所の吐出口１４，１５を有し、前記回転子２１に接続された１種類の羽根３０を備えた羽根車２９が配されたポンプ部とからなり、前記回転子２１の正転時には第１の吐出口１４から流体を吐出し、逆転時には第２の吐出口１５から流体を吐出し、正転時の吐出能力が逆転時の吐出能力よりも大であるポンプ１０において、前記ポンプ１０の逆転運転時に、一旦該ポンプを正転運転させた後に逆転運転を行う制御構成を有すること。    【選択図】  図１
2007085206.tif 000002
【特許請求の範囲】
【請求項１】
固定子の内周に磁性体を有する回転子が回転自在に配されたモータ部と、
吸水口と２箇所の吐出口を有し、前記回転子に接続された羽根車を配したポンプ部とからなり、
前記回転子の正転時には第１の吐出口から流体を吐出し、逆転時には第２の吐出口から流体を吐出し、正転時の吐出能力が逆転時の吐出能力よりも大であるポンプにおいて、
前記ポンプの逆転運転時に、一旦該ポンプを正転運転させた後に逆転運転を行う制御構成を有する
ことを特徴とするポンプ。
【請求項２】
前記正転運転が１〜１０秒間である
ことを特徴とする請求項１に記載のポンプ。
【請求項３】
正転時と逆転時にそれぞれ反対方向の吐出力を発生する１種類の羽根を有する
ことを特徴とする請求項１又は２に記載のポンプ。
【請求項４】
請求項１〜３のいずれかに記載のポンプが、食器洗い機の底部に設けられ、前記第１の吐出口が該食器洗い機の洗浄ノズルに接続され、前記第２の吐出口が該食器洗い機の排水口に接続されている
ことを特徴とする食器洗い機。
【請求項５】
固定子の内周に磁性体を有する回転子が回転自在に配されたモータ部と、
吸水口と２箇所の吐出口を有し、前記回転子に接続された羽根車を配したポンプ部とからなり、
前記回転子の正転時には第１の吐出口から流体を吐出し、逆転時には第２の吐出口から流体を吐出し、正転時の吐出能力が逆転時の吐出能力よりも大であるポンプの制御方法において、
前記ポンプの逆転運転時に、一旦該ポンプを正転運転させた後に逆転運転を行い、エアを前記吐出口から排出する
ことを特徴とするポンプの制御方法。
【発明の詳細な説明】
【技術分野】
【０００１】
本発明は、ポンプ及びそのポンプを用いた食器洗い機に関する。
【背景技術】
【０００２】
食器洗い機用のポンプは、食器を洗浄する洗浄水を洗浄ノズルに圧送して食器等に噴射する機能と、洗浄後の汚水を機外に排出する機能を有している。これらの機能はモータの正転と逆転運転の切り替え操作により羽根車の回転方向を反転させ行われている。
【０００３】
このようなポンプの羽根車は、吐出能力が排水時よりも洗浄時の方が大きくなるように羽根が設計されているため、ポンプ内に溜まっているエアをポンプ外に排出させるのは洗浄時に比べて排水時が不利になっている。この水とエアが混じった状態で羽根車が回転するエア噛み状態では、羽根車により空気をかき回すだけで充分排水されず、また騒音の原因になっている。
【０００４】
このエア噛みを改善するには、図３に示すようにポンプ５０の上面にエア抜き用の排出孔５１を設けてポンプ始動時にポンプ内のエアを抜くことが有効であるが、ポンプの密閉性が損なわれ吐出能力が低下したり、ポンプやケーシングの構造が複雑になるという問題がある。このようなエア抜きの構造としては、排水ポンプのケーシングの上部近傍にエア抜き用の孔を配設した管を設けることが提案されている（特許文献１）。
【０００５】
特に、ポンプが食器洗い機のキャビネットに傾斜して取り付けられる場合や、食器洗い機を設置した場所が傾いている場合、羽根車の一部が食器洗い機底部の貯水部に溜まった水に浸からないようなエア溜まりができやすく、エア噛みが発生しやすくなっている。
【特許文献１】特開２００３−１８０６０１号公報
【発明の開示】
【発明が解決しようとする課題】
【０００６】
ポンプは、構造を変更することでエア溜まりを無くしてエア噛みの発生を改善することはできるが、正逆転切り替え時の切替弁の調整や、吐出性能が変化し洗浄水流量もしくは排水流量のどちらかが低下するおそれがあり、その対策には膨大な費用と時間を伴いリスクが高いものとなる。
【０００７】
本発明の目的は、ポンプの構造を変更することなく、すなわちポンプ特性を不変にしてエア噛みの問題を改善することができる食器洗い機に好適なポンプを安価に提供することにある。
【課題を解決するための手段】
【０００８】
本発明のポンプは、固定子の内周に磁性体を有する回転子が回転自在に配されたモータ部と、吸水口と２箇所の吐出口を有し、前記回転子に接続された羽根車を配したポンプ部とからなり、前記回転子の正転時には第１の吐出口から流体を吐出し、逆転時には第２の吐出口から流体を吐出し、正転時の吐出能力が逆転時の吐出能力よりも大であるポンプにおいて、前記ポンプの逆転運転時に、一旦該ポンプを正転運転させた後に逆転運転を行う制御構成を有することを特徴とする。
【０００９】
上記ポンプは、前記正転運転が１〜１０秒間であることを特徴とする。
【００１０】
また、本発明のポンプは、正転時と逆転時にそれぞれ反対方向の吐出力を発生する１種類の羽根を有することを特徴とする。
【００１１】
本発明の食器洗い機は、前記ポンプが、食器洗い機の底部に設けられ、前記第１の吐出口が該食器洗い機の洗浄ノズルに接続され、前記第２の吐出口が該食器洗い機の排水口に接続されていることを特徴とするものである。
【００１２】
さらに、本発明のポンプの制御方法は、固定子の内周に磁性体を有する回転子が回転自在に配されたモータ部と、吸水口と２箇所の吐出口を有し、前記回転子に接続された羽根車を配したポンプ部とからなり、前記回転子の正転時には第１の吐出口から流体を吐出し、逆転時には第２の吐出口から流体を吐出し、正転時の吐出能力が逆転時の吐出能力よりも大であるポンプの制御方法において、前記ポンプの逆転運転時に、一旦該ポンプを正転運転させた後に逆転運転を行い、エアを前記吐出口から排出することにある。
【発明の効果】
【００１３】
本発明のポンプであると、逆転運転時に、一旦吐出能力の大きい正転運転を行うことでポンプ内部のエアを排出してポンプ内を水で満たし、その後で逆転運転を行うことで逆転運転時のエア噛み発生を、ポンプ構造の変更を伴わずに防止することができる。
【００１４】
本発明の食器洗い機では、食器洗浄後の汚水の排水を確実に行い次の洗浄性能を向上し、またエア噛みによる騒音を改善することができる。
【発明を実施するための最良の形態】
【００１５】
以下に、本発明に係るポンプの実施形態について、図面に基づいて説明する。
【００１６】
図１は実施形態のポンプ１０を示す縦断面図、図２はポンプ内部の平面図である。図に示すようにポンプ１０は、合成樹脂製でなる上下のケーシング１１，１２間のポンプ内部に回転子２１を配し、回転子２１の外周に沿ってリング状の固定子２２が配設されてポンプ１０のモータ部を構成している。
【００１７】
上下のケーシング１１，１２はパッキン１８を挟みポンプ１０の内部を密閉し、ポンプ底部の空間部にポンプ室１６を設け、このポンプ室１６を連通する流体の吸水口１３と第１の吐出口１４、第２の吐出口１５とが設けられ、吸水口１３には吸水管１７が接続されている。
【００１８】
回転子２１は、ケーシング内部のポンプ１０の中心部において、上下のケーシング１１，１２間で固定された固定軸２３に回転自在に配されている。
【００１９】
回転子２１は、ポリフェニレンスルフィドなどの摺動性樹脂からなる回転軸２５と、回転軸２５に接続された羽根車基部２６と、羽根車基部２６の周囲に固定されたマグネット２８からなり、前記回転軸２５にスラストワッシャー２４が配されて回転自在に軸支されている。
【００２０】
また、羽根車基部２６の下部には羽根車２９が設けられ、羽根車２９には正逆転兼用の羽根３０が一体に形成され、羽根車２９はポンプ室１６内に収容されている。
【００２１】
前記羽根車２９は、図２に示すように、複数の羽根３０（図では６個）が等間隔に設けられており、ポンプ１０の正転時（矢符Ａ方向）には吸水管１７から吸引した水をＡ方向に流す流れを形成して第１の吐出口１４から吐出し、逆転時（矢符Ｂ方向）には吸水管１７から吸引した水をＢ方向に流す流れを形成して第２の吐出口１５から吐出させる。図示しないが、第２の吐出口１５には、水の流れる方向により開閉する切替弁が設けられている。
【００２２】
この羽根車２９の羽根３０は、正転運転時の吐出能力が逆転運転時の吐出能力よりも大きくなるように設計されている。また、羽根車２９の正点逆転両方向の回転時にそれぞれ逆向きの流れを発生する羽根３０を有することで、羽根車２９の小形化が可能となりポンプ１０の小形化、薄形化が図られる。
【００２３】
また、上記回転子２１と羽根車２９は別体で構成しているが、羽根車基部２６と共にプラスチックマグネットにより一体に成形されたものでもよい。
【００２４】
固定子２２は、前記回転子２１に対向するように配されたリング状の積層鉄心３１と巻線３２とからなり、制御回路を持つプリント基板３３と共にモールド樹脂３４内にモールド成形され、前記回転子２１とポンプ１０のモータ部を形成している。
【００２５】
このモータはブラシレスＤＣモータを構成するもので、プリント基板３３より固定子２２に通電されると、固定子２２に回転磁界が発生し回転子２１が回転する。回転子２１が回転するとそれに接続された羽根車２９も回転し、回転方向の切り替えによりポンプ室１６内に上記水の流れを発生させる。
【００２６】
前記制御方法は、ポンプ１０の逆転運転の開始時に、一旦ポンプ１０を正転運転させた後、本格的な逆転運転を行うものである。
【００２７】
ポンプ１０では、ポンプ１０内に溜まった排水を排出する逆転運転時に、一旦吐出能力の大きい逆方向の正転運転を１〜１０秒間行うことでポンプ内部のエアを排出してしまいポンプ内を水で満たし、その後に本格的な逆転運転を行うことで羽根車２９は水のみをかき回すようになるのでエア噛みの発生を防止することができ、排水性能を向上するとともに騒音の問題を改善することができる。
【００２８】
また、その運転制御の一部を変更することによるので、ポンプの構造変更を伴うことがなく、ポンプ性能やコストに影響を与えずに実施することができる。
【００２９】
食器洗い機は、前記ポンプ１０を食器等の洗浄ポンプ、汚水の排水ポンプとして使用するものである。
【００３０】
ポンプ１０は、食器洗い機の底部に設けられ、第１の吐出口１４が洗浄ノズルに接続され、第２の吐出口１５が排水口に接続され、吸水口１３に接続された吸水管１７が食器洗い機の貯水部に設けられる。
【００３１】
この食器洗い機では、食器等の洗浄工程でポンプ１０が正転運転され、加圧された洗浄水が第１の吐出口１４から洗浄ノズルに送られて通常の洗浄が行われる。
【００３２】
一方、洗浄後の汚水の排水工程では、ポンプ１０が逆転運転され第２の吐出口１５から外部に排出されるが、この際に上記ポンプ１０の正転運転が行われることでポンプ１０内のエアが排出されるのでエア噛みを起こすことなく、排水性能を向上し貯水部の排水を確実に行うようになり次の洗浄性能を高めることができ、かつ騒音を低減することができる。
【産業上の利用可能性】
【００３３】
本発明のポンプは、食器洗い機用のポンプに好適である。
【図面の簡単な説明】
【００３４】
【図１】実施形態のポンプの縦断面図である。
【図２】同上ポンプ内部の平面図である。
【図３】従来ポンプの縦断面図である。
【符号の説明】
【００３５】
１０……ポンプ
１３……吸水口
１４……第１の吐出口
１５……第２の吐出口
２１……回転子
２２……固定子
２９……羽根車
３０……羽根
【図１】
2007085206.tif 000003
【図２】
2007085206.tif 000004
【図３】
2007085206.tif 000005